(57)【特許請求の範囲】
【請求項１】
価格などを表示する表示部に連設して、Ｕ字形の切れ目により下方に突出した突出片を設け、この表示部の突出片の切れ目の起点から両端に延びる折り線ａを介して第１パネルを連設し、この第１パネルの下辺に折り線ｂを介して第２パネルを連設し、この第２パネルの下辺に折り線ｃを介して差し込みパネルを連設し、前記第１パネルの両側より中程にかけてミシン目を設け、このミシン目の内端より下方に延びる縦折り線を設けたマルチ表示カードにおいて、前記差し込みパネルの縦折り線で囲まれた部分を下方に延ばし、突出片に差し込む差し込みフラップとしたことを特徴とするマルチ表示カード。
【発明の詳細な説明】
【０００１】
【発明の属する技術分野】
本発明は商品の価格などを表示する表示カードに関するものであり、特に缶を複数個入れたバッグなど商品の幾つかの包装、展示形態に対して使用できるマルチ表示カードに関するものである。
【０００２】
【従来の技術】
従来より、商品の幾つかの包装、展示形態に対して使用できるマルチ表示カードとして多くのマルチ表示カードが知られているが、その表示に当たっては商品の包装、展示形態に対してそれぞれ使用できる範囲が制約されたものであった。
【０００３】
【発明が解決しようとする課題】
本発明は、例えば、缶を複数個入れたバッグ、段ボールケース、缶を複数個まとめて束ねた形態など商品の幾つかの包装、展示形態に対して使用でき、且つショーケースの上などにスタンドとしても使用できるマルチ表示カードを提供することを課題としている。
【０００４】
【課題を解決するための手段】
本発明に於いて上記課題を達成するために、価格などを表示する表示部に連設して、Ｕ字形の切れ目により下方に突出した突出片を設け、この表示部の突出片の切れ目の起点から両端に延びる折り線ａを介して第１パネルを連設し、この第１パネルの下辺に折り線ｂを介して第２パネルを連設し、この第２パネルの下辺に折り線ｃを介して差し込みパネルを連設し、前記第１パネルの両側より中程にかけてミシン目を設け、このミシン目の内端より下方に延びる縦折り線を設けたマルチ表示カードにおいて、前記差し込みパネルの縦折り線で囲まれた部分を下方に延ばし、突出片に差し込む差し込みフラップとしたことを特徴とするマルチ表示カードとしたものである。
【０００６】
【発明の実施の形態】
以下、実施の形態により本発明を詳細に説明する。
図１に示すように、価格などを表示する表示部（２）には、印刷などにより、商品の名称、商品の図柄、商品のセールスポイント、商品の価格などが表示されている。
【０００７】
この表示部（２）は、下方にＵ字形の切れ目（８）により設けられた突出片（４）つらなっている。この表示部の突出片（４）の切れ目（８）の起点から両端に延びる、折り線ａ（１０）を介して第１パネル（２０）が連接されている。この折り線ａ（１０）は、折り易いように線状に筋押しがされている。この第１パネル（２０）の下辺に、折り線ｂ（１２）を介して第２パネル（２２）が連接されている。この折り線ｂ（１２）にも折り易いように線状に筋押しがされている。この第２パネル（２２）の下辺に、折り線ｃ（１４）を介して差し込みパネル（２４）が連接されている。この折り線ｃ（１４）にも折り易いように線状に筋押しがされている。
前記折り線ａ（１０）、折り線ｂ（１２）、折り線ｃ（１４）は、平行な折り線である。
【０００８】
前記第１パネル（２０）の両側より中程にかけて容易に切り離すことの可能なミシン目（１６）を設け、その２本のミシン目（１６）の内端より下方に延びる２本の縦折り線（１８）が設けられている。この２本の縦折り線（１８）にも折り易いように線状に筋押しがされている。
【０００９】
また、本発明においては、前記差し込みパネル（２４）の縦折り線（１８）で囲まれた部分を下方に延ばし、差し込みフラップ（２６）を設ける。この差し込みフラップ（２６）の幅は、突出片（４）の幅と略同じである。このマルチ表示カードの材料としては、用途に応じ選択が可能であるが価格などの面から紙などが好ましい。
【００１０】
このマルチ表示カードを表示するに当たって、商品の包装形態が缶を複数個入れたバッグで、その形態で展示する場合は、図２に示すようにマルチ表示カードを折り線ａ（１０）、折り線ｂ（１２）、折り線ｃ（１４）部で折り曲げたり、ミシン目（１６）部で切り離さずに、平らなまま差し込みパネル（２４）部を缶とバッグの間に差し込んでマルチ表示カードを表示する。
【００１１】
また、商品の包装形態が缶を段ボールケース内に包装した形態で、この段ボールケースを幾段にも重ねて展示する展示形態の場合は、図３に示すようにマルチ表示カードの折り線ａ（１０）部で印刷面を外側にして約９０度に折り曲げ、第１パネル（２０）、第２パネル（２２）、差し込みパネル（２４）はマルチ表示カードを折り線ｂ（１２）、折り線ｃ（１４）部で折り曲げたり、ミシン目（１６）部で切り離さずに、平らなままカートンとカートンの間に差し込んでマルチ表示カードを表示する。表示部（２）及び表示部の突出片（４）がストッパーとなりカートン部に固定される。
【００１２】
また、商品の包装形態が缶を複数個まとめて束ねた形態で、そのまま展示する展示形態の場合は、図４に示すようにマルチ表示カードのミシン目（１６）部を縦折り線（１８）部まで切り離し、縦折り線（１８）部で印刷面を内側にして約９０度に折り曲げ、缶と缶の間に差し込んでマルチ表示カードを表示する。
【００１３】
また、例えばショーケースの上とか、複数個の缶の上とか、複数個の缶の側などにスタンドとして使用する場合は、図５に示すようにマルチ表示カードの折り線ａ（１０）部で印刷面を外側にして折り曲げ、次に折り線ｂ（１２）部で印刷面を外側にして折り曲げ、更に折り線ｃ（１４）部で印刷面を外側にして折り曲げ、差し込みフラップ（２６）を切れ目（８）の裏側から、突出片（４）にそって差し込んでマルチ表示カードをスタンドとして組み立て、この組み立てたスタンドをショーケースの上などに表示する。
【００１４】
【発明の効果】
本発明は以上の構成であるから、下記に示す如き効果がある。即ち、マルチ表示カードは、缶を複数個入れたバッグで展示する場合は、缶とバッグの間に差し込みパネル部を差し込んで表示することができる。また、缶を段ボールケースに詰めた包装形態で、この段ボールケースを幾段にも重ねて展示する包装形態の場合は、ケース間に差し込みフラップ部から第１パネル部までを差し込んで表示することができる。また、缶を複数個まとめて束ねた形態で展示する場合は、ミシン目部で切り離し縦折りすることで，缶と缶の間に差し込んで表示することができる。また、マルチ表示カードは、スタンドとしてショーケースの上とか、複数個の缶の上とか、複数個の缶の側などに表示することができる。また、本発明によるマルチ表示カードは、組み立て時及び表示時に糊やテープなどを使って接着してしまうことが無いので、例えば差し込み状からスタンド状へ使用形態を変えることも可能となるものである。
【図面の簡単な説明】
【図１】本発明の実施の形態を示す、マルチ表示カードの一例を平面で表した説明図である。
【図２】本発明のマルチ表示カードを、缶をバッグで包装した形態のものに対して表示した一例を表した説明図である。
【図３】本発明のマルチ表示カードを、缶を段ボールケース内に包装した形態のものに対して表示した一例を表した説明図である。
【図４】本発明のマルチ表示カードを、缶を複数個まとめて束ねた形態ものに対して表示した一例を表した説明図である。
【図５】本発明のマルチ表示カードをショーケースの上などにスタンドとして表示した一例を表した説明図である。
【符号の説明】
１‥‥マルチ表示カード
２‥‥表示部
４‥‥突出片
８‥‥切れ目
１０‥‥折り線ａ
１２‥‥折り線ｂ
１４‥‥折り線ｃ
１６‥‥ミシン目
１８‥‥縦折り線
２０‥‥第１パネル
２２‥‥第２パネル
２４‥‥差し込みパネル
２６‥‥差し込みフラップ
【図１】
0003543539.tif 000002
【図２】
0003543539.tif 000003
【図３】
0003543539.tif 000004
【図４】
0003543539.tif 000005
【図５】
0003543539.tif 000006